(57)【要約】【課題】軽量で、簡単、確実に組み立て可能で、搬送も容易な野生動物の侵入と逃亡防止用柵形成用の金網構造体を提供する。【解決手段】  第１の金網枠１１と第２の金網枠１２との接合端縁を第1のコイル状連結材２１で転回自在に連結し、そして、第２の金網枠１２の高さ方向中間部の金網と第３の金網枠１３の一方端縁を第２のコイル状連結材２２で連結し、さらに、前記第３の金網枠１３の他方端縁にスライドリング１３１を設け、このスライドリング１３１に前記第1の金網枠１１の中の金網を構成するスライド棒１１１を挿通して、第1の金網枠１１と第２の金網枠１２の開き角度を調整する。【選択図】図４
2018191583.tif 000002
【特許請求の範囲】
【請求項１】
複数枚の金網枠を螺旋状コイル結合材によって連結することによって、相互に折り畳み、展開可能とした運搬可能な野生動物防護棚形成用の金網構造体。
【請求項２】
複数枚の金網枠が、それぞれが同一巾と同一長さを有する第１と第２の二枚の金網枠と、これらの二枚の金網枠の巾の半分以下の小巾の第３の金網枠からなり、
前記第１と第２の二枚の金網枠の端縁を螺旋状コイル結合材によって連結して相互に折り畳み展開可能とするとともに、
前記小巾の第３の金網枠の一方端縁を、前記連結した第１と第２の二枚の複数枚の金網枠の中の第１の金網の高さ方向の中央部と螺旋状コイル結合材によって連結し、
同じく小巾の第３の金網枠の他方端縁にスライドリングを設け、前記第２の金網枠と相対する第１の金網枠のスライド棒を前記スライドリング内に通して、スライド可能とした
請求項１に記載の野生動物防護棚形成用の金網構造体。
【請求項３】
ドローンによる搬送を可能とした請求項２に記載の野生動物防護棚形成用の金網構造体。
【請求項４】
第２の金網枠にフック受けを設け、第３の金網枠には吊り下げロープを設けた請求項２に記載の野生動物防護棚形成用の金網構造体。
【発明の詳細な説明】
【技術分野】
【０００１】
この発明は、鹿、猪、兎などの野生動物の里山、村落、町村への侵入、あるいは、捕獲のために特定箇所に閉じ込めた野生動物の逃走を防止するための野生動物防護柵形成用の金網構造体に関する。
【背景技術】
【０００２】
野生動物の侵入防止用の柵としては、従来から、打ち込まれた杭間に金属網を取り付けた構造のものがある。
【０００３】
ところが、近年、里山の環境の変化に伴い野生動物の数が増加し、係る構造の柵の設置が追いつかず、人里への侵入は防ぎ切れなくなり、必然的に山里に侵入する野生動物の増加はすさまじく、広域で野生動物を捕獲し処分する方法、あるいは、野生動物の肉のジビエ化が考えられるようになった。
【０００４】
現在、その広域での野生動物の捕獲手段としては、下記特許文献４，５に記載されているように、野生動物の存在地域から他の広域に逃げ出さないように柵仕切り棚を設け、この仕切り棚の一区域内に設けた捕獲罠に、音声、光、煙、その他、ドローン等の威嚇手段によって追い込み、そこで捕獲し、あるいは、追い込まれた野生動物を牧育することが提案されている。
【先行技術文献】
【特許文献】
【０００５】
【特許文献１】特開２０１０-２０７２１２
【特許文献２】特開２０１１-１６７１０５
【特許文献３】特開２０１２-２４９５６６
【特許文献４】特願２０１６-２４５８９４
【特許文献５】特願２０１７-０７６８６４
【特許文献６】実用新案登録第３１４７７０１号
【発明の概要】
【発明が解決しようとする課題】
【０００６】
従来から使用されている野生動物のための防護用の柵は、ほぼ、２メートル以上の高さの鉄製の杭の間に、野生動物の衝突による破損に耐えるための針金、または、金網を里山の全周にわたって張ったもので、その設置のためには、相当の費用と労働力と時間も要する。
【０００７】
この発明は、軽量で、簡単、確実に組み立て可能で搬送も容易な野生動物の防護柵形成用の金網構造体を提供する。
【課題を解決するための手段】
【０００８】
この発明は、複数枚の金網枠を螺旋コイル状連結材によって連結したもので、この金網構造体を複数個配置するだけで、野生動物の侵入と、ジビエのために捕獲牧育する野生動物の逃走を効果的に防止できる柵を構成するものである。
【発明の効果】
【０００９】
この発明に係る金網構造体は、金網枠を単に、螺旋コイル状連結材によって連結したものであるので軽量であり、それぞれの金網枠は、コイル状連結材を軸として相互に畳み込むことができるので移送が簡単になる。さらには、折り畳まれた金網枠を再度展開して幾度でも再使用できる。
【００１０】
さらに、この発明に係る金網構造体は、任意に配列するだけで野生動物の侵入あるいは逃走を防止するための防護柵を簡単に形成できる。とくに、現地までの搬送が、ドローンのような飛行体による吊り下げ搬送も可能であり、防護柵の形成は、開口面を並べればすむので、平坦部分の少ない山間部での防護柵の形成が簡単にできる。
【図面の簡単な説明】
【００１１】
【図１】この発明の基本概念を示すもので、使用する金網枠の枚数と形成される構造体の形態を示す図である。金網枠を２枚使用した例を示す。
【図２】同じく、金網枠を３枚使用した例を示す。
【図３】同じく、金網枠を４枚使用した例を示す。
【図４】この発明に係る構造体を、ドローンによる搬送に便利な構造とした実施例を示す図である。
【図５】部品の構成を示す図である。
【図６】この発明に係る構造体のドローンによる搬送例を示す。
【図７】この発明に係る構造体のドローンによる搬送中の折り畳み状態から、展開される過程を示す。
【発明を実施するための形態】
【００１２】
この発明に基づいて形成される金網構造体の基本構成を図１〜図３に示す。
【００１３】
図１は、２枚の金網枠１を１個のコイル状連結材２によって両金網枠が相互に展開可能になるように連結して形成した２面の側面からなる下面と両端が開放された金網構造体ａを示す。
【００１４】
図２は、３枚の金網枠１のそれぞれを図１の場合と同様に、コイル状連結材２によって相互に展開可能になるように連結して形成した２面の側面と底面からなり、両端が三角形状に開放された金網構造体ｂを示す。
【００１５】
図３は、４枚の金網枠１のそれぞれを、同様に、コイル状連結材２によって連結することによって、４面が金網枠１からなり、両端が四角形に開放された金網構造体ｃを示す。
【００１６】
これらの図に示す金網枠１をコイル状連結材２によって連結するに際しては、本願出願人による特許文献６に開示した方式を好適に採用できる。
【００１７】
上記各図に示すように、この発明の金網構造体は、基本的には、両端が開放された外面を金網枠によって構成した多面体の金網構造体ａ，ｂ，ｃをなすものであるが、実務的には、組み立て上、搬送上、強度上等の都合から、実施例に示すように、使用する金網枠１に種々の対応を施して実施される。
【実施例】
【００１８】
この発明の実施例として、この発明の金網構造体をドローンによる搬送に便利な構造とした例を図４によって説明する。
【００１９】
この金網構造体１０は、略５ｍｍ径の針金の金網枠１１，１２によって両側面を形成され、これらの転回角度が金網枠が約６０度に制限された図４に示す断面が正三角形の態様をなす。
【００２０】
この例は、図５に示す形態をなし、長さ、高さ、巾がほぼ２ｍの第１と第２の金網枠１１と１２，それに、巾が半分以下の第３の金網枠１３をコイル状連結材２１と２２によって連結して形成した全重量が１０ｋｇの以下に形成したものである。
【００２１】
図５を参照して、第１の金網枠１１には、強度を持たせるために金網の網目は密に形成され、その網目を形成する針金の中、縦方向の２本の針金は、横線を省略して，編目の長さを他の網目のほぼ倍の長さとしている。そしてこの２本の針金のそれぞれをスライド棒１１１として、それぞれの表面を摺動すべくスライドリング１３１が予め装着されている。
【００２２】
これらの２個のスライドリング１３１は、金網枠１１、１２、１３が、それぞれコイル状連結材２１と２２によって連結された後、図５に示すように、第３の金網枠１３の下端縁に溶接によって固定される。これによって、駆立てられた図４に示す金網構造体１０において、第３の金網枠１３の回動によって、第１と第２の金網枠１１と１２の間の開き角αは、スライド棒１１１に摺動自在に嵌着されたスライドリング１３１の移動に伴い拡大する仕組みになっている。そして、スライドリング１３１は、スライド棒１１１上を摺動し、スライド棒１１１の終わりに達したとき、金網枠１１と１２の開き角度αは約６０度に固定されることになる。
【００２３】
第２の金網枠１２は、軽量化のために網目を荒く形成したもので、第１の金網枠１１に面した端縁の略中央には、搬送ドローンに設けられたフックＨ２に吊下げられるフック受け１２１が取り付けられている。そして、第１と第２の二枚の金網枠１１と１２の端縁は、コイル状結合材２１によって相互に折り畳み展開可能に連結される。
【００２４】
さらに、図５に示すように、第３の金網枠１３は、この第３の金網枠１３の先端縁１３２は、第２の金網枠１２のほぼ中央の針金１２２と、コイル状連結材２２によって連結され、その連結箇所である針金１２２を中心にして、金網枠１２の面上を任意に折り畳むことができるが、金網構造体１０の両側面となる第１と第２の両金網の間の開きを規制する機能を有する。そして、一方の端縁には、組み立て前、予め、第１の金網枠１１に形成したスライド棒１１１を挿入してその上を摺動するスライドリング１３１と溶接結合されている。そのためこのスライドリング１３１と一体化されている第３の金網枠１３は、スライドリング１３１のスライド棒１１１上の摺動に応じて、第１と第２の二枚の金網枠１１と１２の間の開き角度を調整する。１３３は、スライドリング１３１に隣接して、ドローンの第１の吊り下げ用フックＨ１に係止めされ、吊り下げれるロープを示す。
【００２５】
なお、この実施例において、図示するように、第１から第３の金網枠の金網の目を異なるものとし、それをずらした位置にしたとき、形成された構造体の枠を通しての外方の景色か重なって見えづらくなり、枠内に捕獲された動物は、外方に逃げづらくなる効果も期待することができる。
【００２６】
図６は、図５に示す各金網枠１１〜１３をコイル状連結材２１，２２によって連結し，一旦、図４に示す金網構造体１０としたのち、その連結部分を転回し、それぞれの金網枠を折り畳んで、ドローンＤに吊り下げられて移送されている状態を示す。同図に示すように、金網枠１２のフック受け１２１はドローンの電磁弁フックＨ１に、また、金網枠１３に取り付けられたロープ１３３は，ドローンの電磁弁フックＨ２に係止されてドローンＤによって、所定位置に搬送される。
【００２７】
図７は、ドローンによる搬送時における第１の金網枠１１のスライド棒１１１をスライドする第３の金網枠１３の端縁に取り付けられたスライドリング１３１の機能を説明するもので、それぞれ、相互に折り畳まれた第１から第３の金網枠１１，１２、１３を側面から見たものである。
【００２８】
そして、ドローンは所定位置に搬送されたとき一定の高さで、空中で電磁弁フックＨ１を解除すると、第３の金網枠１３はロープ１３３による拘束を外れ、次いで、金網枠１２のフック受け１２１のみで、構造体１０はドローンＤに吊り下げられることになる。
【００２９】
そして、ドローンが着地までの間に、このガイド機構のスライド棒１１１のガイド部分の長さによって、第３の金網枠１３の展開の方向と展開による第１の金網枠１１と第２の金網枠１２との間の開き加減は制限され、第１と第２の金網枠１１と１２の広がり角を安定した状態にすることができる。
【００３０】
（１）は、折り畳まれて、第３の金網枠１３に取り付けられた吊り下げロープ１３３により、図６に示すように、ドローンＤのフックＨ１、Ｈ２に吊り下げられた状態を示す。これにより、第３の金網枠１３は固定されている。
（２）ドローンが、現地目的地に着いて、ロープ１３３が外された状態を示す。
この時点で、第３の金網枠１３は、自重で矢印の方向に転回し、両側面を形成する第１と第２の金網枠１１と１２が開き始める。
（３）スライドリング１３１がスライド棒１１１の終点に至ったとき、第３の金網枠１３の回転運動が停止し、図４に示すように、金網構造体１０の側面を構成する第１と第２の金網枠１１と１２の開き角度は固定され、柵を構成する構造体は安定する。
【産業上の利用可能性】
【００３１】
この発明に係る金網構造体は、多数配列して野生動物の拘束のために利用することができる。
【００３２】
野生動物捕獲のための区域を比較的軽い労力で劃定できるので、野生動物の捕獲域を劃定でき、ジビエ化のための野生動物を育成できる。
【００３３】
広域での野生動物の育牧が可能になり、野生動物のジビエ化が可能となる。
【符号の説明】
【００３４】
１、１１，１２，１３  金網枠
２、２１，２２  コイル状連結材
ａ、ｂ、ｃ  金網構造体の基本形態
１０  金網構造体
１１１  スライド棒
１２１  フック受け
１２２  中央の針金
１３１  スライドリング
１３３  吊り下げロープ
Ｄ  ドローン
Ｈ１，Ｈ２  ドローンの吊りフック
α  第１と第２の金網枠開き角
【図１】
2018191583.tif 000003
【図２】
2018191583.tif 000004
【図３】
2018191583.tif 000005
【図４】
2018191583.tif 000006
【図５】
2018191583.tif 000007
【図６】
2018191583.tif 000008
【図７】
2018191583.tif 000009